(57)【要約】【課題】  表地、中綿、及び裏地から成るコタツ布団であって、表地及び中綿の水濡れ及び汚れを防止、一方ではコタツ内部及び中綿の蒸れ防止効果があるコタツ布団の提供。【解決手段】上記表地６は透湿性のフイルム面の少なくとも一部に織物生地、編物生地、又は不織布を貼り合わせ、該表地の透湿度はリッシー法で１０〜５０００ｇ／ｍ2・２４ｈｒの範囲としたコタツ布団である。【選択図】    図４                                                                        
2005080885.tif 000002
【特許請求の範囲】
【請求項１】
表地、中綿、及び裏地から成るコタツ布団において、上記表地は透湿性のフイルム面の少なくとも一部に織物生地、編物生地、又は不織布を貼り合わせ、該表地の透湿度はリッシー法で１０〜５０００ｇ／ｍ2・２４ｈｒの範囲としたことを特徴とするコタツ布団。
【請求項２】
上記透湿性フイルムとして、人工合皮、塩化ビニール、ポリウレタン、ポリエチレン、ポリエステル、アクリル、ポリプロピレン、又はビニールを用いた請求項１記載のコタツ布団。
【請求項３】
表地、中綿、及び裏地から成るコタツ布団において、該表地面積の５％〜５０％に通気性に優れた織物生地、編物生地、又は不織布から成る通気口を設け、この通気口が露出しないように透湿性スカートで被覆したことを特徴とするコタツ布団。
【請求項４】
上記表地の中央部を通気性に優れた織物生地、編物生地、又は不織布を用いた請求項１、請求項２、又は請求項３記載のコタツ布団。
【請求項５】
表地と裏地から成ってコタツ布団の上に掛けるコタツ布団カバーにおいて、該表地は透湿性のフイルム面の少なくとも一部に織物生地、編物生地、又は不織布を貼り合わせ、該表地の透湿度はリッシー法で１０〜５０００ｇ／ｍ2・２４ｈｒの範囲としたことを特徴とするコタツ布団カバー。
【請求項６】
上記透湿性フイルムとして、人工合皮、塩化ビニール、ポリウレタン、ポリエチレン、ポリエステル、アクリル、ポリプロピレン、又はビニールを用いた請求項５記載のコタツ布団カバー。
【請求項７】
表地と裏地から成ってコタツ布団の上に掛けるコタツ布団カバーにおいて、該表地面積の５％〜５０％に通気性に優れた織物生地、編物生地、又は不織布から成る通気口を設け、この通気口が露出しないように透湿性スカートで被覆したことを特徴とするコタツ布団カバー。
【請求項８】
上記表地の中央部を通気性に優れた織物生地、編物生地、又は不織布を用いた請求項５、請求項６、又は請求項７記載のコタツ布団カバー。
【発明の詳細な説明】
【技術分野】
【０００１】
本発明はコタツ布団であって、飲み物等による水濡れを防止し、コタツの内部での蒸れを防止し、さらにはコタツの保温効果に特徴があるコタツ布団及びコタツ布団カバーに関するものである。
【背景技術】
【０００２】
コタツに入って家庭団らん時にコーヒーやジュース、又は酒やビール等を飲むことが多く、この際に零れてコタツ布団を汚すことが多い。零れた水分はコタツ布団の表地を通過して中綿に滲み込み、その結果、洗濯しなくてはならなくなり、該洗濯及びその後の乾燥には手間がかかり、面倒である。
【０００３】
そこで近年では、水濡れによるコタツ布団の汚れ防止、さらには中綿への滲み込み防止として、コタツ布団の表地に撥水加工を施したものが用いられている。しかし、この方法は表地に使用される織物等の表面を化学処理するものであり、撥水処理は短時間で劣化する為に、その効果は極めて限定的である。
【０００４】
このように、撥水加工の効果が不十分なことから、コタツ布団の表地に人工合皮(人工皮革)を用いたものが開発され、これが使用されている。このコタツ布団はコーヒー、ジュース、酒、ビールなどの水濡れには十分な効果を発揮し、保温効果も良いが、表地の透湿性が不十分な為に、コタツ内部及びコタツ布団の中綿が蒸れてしまう。その為に、使用性は極めて悪くなる。
【発明の開示】
【発明が解決しようとする課題】
【０００５】
このように、従来の水漏れ防止のコタツ布団には上記のごとき問題がある。本発明が解決しようとする課題はこの問題点であり、表地及び中綿の水濡れ及び汚れを防止し、一方ではコタツ内部及び中綿の蒸れ防止効果があるコタツ布団を提供する。
【課題を解決するための手段】
【０００６】
本発明のコタツ布団は、表地、中綿、及び裏地から成っていて、表地は透湿性フイルムと織物生地、編物生地、又は不織布等が貼り合わされたものである。そして、該フイルムは布団の表面に水やコーヒーなどが零れても、通過して内部の中綿に浸透しないように、一方では内部が蒸れないように、湿気が通過可能な形態と成っている。そこで表地の透湿度はリッシー法で１０〜５０００ｇ／ｍ2・２４ｈｒ、好ましくは１００〜４０００ｇ／ｍ2・２４ｈｒ、さらに好ましくは２００〜３０００ｇ／ｍ2・２４ｈｒの範囲と成っている。
【０００７】
又は表地の一部に通気口を設け、この通気口から湿気を排出する構造としている。ただし、通気口を設ける場合には該通気口が露出しないようにスカートを設けて被覆している。一方、本発明のコタツ布団カバーは上記コタツ布団の表地にて構成されるもので、従来のコタツ布団の上に掛けられて、コタツ布団に水やコーヒー類が零れてもコタツ布団が汚れないようにしている。
【発明の効果】
【０００８】
本発明のコタツ布団は、その表地に透湿性フイルムが貼り合わされている為に、水がかかったり、コーヒーやビールがかかった場合であっても、即座に内部へ浸透して中綿を湿らすことはない。しかし、従来の撥水処理したものではないために、ある程度の透湿度を備えているために、コタツ内部の蒸れを解消することが出来る。
【０００９】
同じように、コタツ布団カバーの場合にも透湿性が備わっている為に、該コタツ布団カバーを布団の上に掛けることで、水やコーヒーなどが零れても布団の汚れを防止できる。例えば、布団カバー及びコタツ布団カバーに通気性に優れた生地で通気口を設け、該通気口を被覆する為のスカートを縫い付けることで上記透湿性が確保されて、汚れ防止と蒸れ防止を両立できる。
【実施例】
【００１０】
図１は本発明にかかるコタツ布団カバーを表している実施例である。該コタツ布団カバーは表地と裏地の２枚構造で構成され、該表地は同図に示しているように、一辺が長さＬの正方形を成し、中央には中央部１、該中央部１の周りにはスカート部２ａ，２ｂ，２ｃ，２ｄが設けられ、さらに該スカート部２ａ，２ｂ・・の周囲には外周縁部３ａ，３ｂ，３ｃ，３ｄを有している。
【００１１】
上記中央部１は正方形を有し、コタツ本体とほぼ同じ大きさと成っていて、通気性のある布地が使用されている。一般にはコタツ本体に掛けた状態で、中央部１にはほぼ同じ大きさの正方形のコタツ天板が載置される。そして、四方にはスカート部２ａ，２ｂ・・及び外周縁部３ａ，３ｂ・・が延びて外周縁部３ａ，３ｂ・・は床面に達している。
【００１２】
ところで、上記スカート部２ａ，２ｂ・・は図２に断面拡大図を示すごとく、表面１１と裏面１２が互いに接着された２枚構造と成っていて、該表面１１には透湿性フイルムが用いられ、裏面１２には一般的な織物生地、編物生地、又は不織布が使用されている。織物生地、編物生地、又は不織布は通気性に優れている。同じく、外周縁部３ａ，３ｂ・・も同じように表面１１と裏面１２の２枚貼り構造と成っていて、上記スカート部２ａ，２ｂ・・の場合と同じように、該表面１１には透湿性フイルムが用いられ、裏面１２には一般的な織物生地、編物生地、又は不織布が使用されている。
【００１３】
そして、上記外周縁部３ａ，３ｂ・・は、中央部１との境界域に網生地４ａ，４ｂ・・が設けられている。図１では、スカート部２ｂの一部を切欠いた状態を示しているように、該スカート部２ａ，２ｂ・・の下側には網生地４ａ，４ｂ・・が設けられ、これら網生地４ａ，４ｂ・・はスカート部２ａ，２ｂ・・によって被覆されている。
【００１４】
網生地４ａ，４ｂ・・は多数の網穴を形成した通気性に優れた生地である。外周縁部３ａ，３ｂ・・の一部領域を上記網生地４ａ，４ｂ・・で構成することで、コタツ内の熱の一部は流れ出て、蒸れが解消される。そして、該網生地４ａ，４ｂにはスカート部２ａ，２ｂ・・が上面側に重なり合って被覆している。従って外観上は網生地４ａ，４ｂ・・が露出することなく、ある程度の通気性が確保される。
【００１５】
図３は上記コタツ布団をコタツ本体５に掛けた場合の側部断面を示している。コタツ内の熱気はスカート部２ａ，２ｂ・・にて網生地４ａ，４ｂ・・から逃げないようにしており、一方では該網生地４ａ，４ｂ・・から蒸れは逃げ出すことが出来る。又、織物生地などで出来ている中央部１から熱が逃げて蒸れが防止できる。
【００１６】
上記網生地４ａ，４ｂ・・の面積は外周縁部３ａ，３ｂ・・に対して５〜５０％の割合とすることが出来る。ここで、上記網生地４ａ，４ｂ・・は通気性に優れた生地であればよく、普通の織物生地や編物生地を使用することも可能である。そして、上記表地の透湿度がリッシー法で１０〜５０００ｇ／ｍ2・２４ｈｒ、好ましくは１００〜４０００ｇ／ｍ2・２４ｈｒ、さらに好ましくは２００〜３０００ｇ／ｍ2・２４ｈｒの範囲のものが適している。
【００１７】
ここで、透湿性フイルムの材質は特に限定しないことにするが、例えば、人工合皮、ビニール、ポリウレタン、ポリエチレン、ポリエステル、アクリル、ポリプロピレン、ビニロン等が用いられる。そして、該フイルムの下面に裏面として織物生地、編物生地、不織布が貼着される。
【００１８】
図４は本発明のコタツ布団を示し、表地６、裏地７、及び綿８から成っている。ここで表地６は前記図１に示したコタツカバーをそのまま使用することも可能である。同図に示しているコタツ布団の表地６は図１のコタツカバーとほぼ同じであるが、中央部とスカート部が共通した形態と成っている。
【００１９】
図５は図４のＡ−Ａ断面拡大図であり、表地６の中央部断面を示している。正方形をした中央部９の四方には外周縁部３ａ，３ｂ，３ｃ，３ｄが縫い付けられているが、周囲にはスカート部１０ａ，１０ｂ，１０ｃ，１０ｄが形成されている。前記図１のコタツカバーでは、中央部１とスカート部２ａ，２ｂ・・は異なる生地が使用されているが、図３に示すコタツ布団の表地６では、同一生地と成っている。
【００２０】
そして、縁から適度な長さのスカート部１０ａ，１０ｂ・・を残して外周縁部３ａ，３ｂ・・が縫い付けられている。この外周縁部２ａ，２ｂ・・は図１のコタツカバーと同じように、スタート部１０ａ，１０ｂ・・で被覆されている領域は網生地４ａ，４ｂ・・が使用されている。
【００２１】
該表地６は透湿性フイルムの裏面に織物生地、編物生地、又は不織布が貼り合わされたものであり、該表地の透湿度はリッシー法で１０〜５０００ｇ／ｍ2・２４ｈｒ、好ましくは１００〜４０００ｇ／ｍ2・２４ｈｒ、さらに好ましくは２００〜３０００ｇ／ｍ2・２４ｈｒの範囲のものが使用される。
【００２２】
ところで、該リッシー法(Ｌｙｓｓｙ法)とは、世界各国の工業規格に準拠した方法であり、例えばＪＩＳ  Ｚ  ０２０８及びＪＩＳ  Ｋ  ７１２９では、温度４０℃、相対湿度９０％に保つように定められているので、本装置では、１００％相対湿度の状態にある下部チャンバーと、高感度の湿度センサーを設置した上部チャンバーの境界面に測定サンプルが挿入され、湿度センサーのある上部チャンバーの相対湿度を１０％ＲＨ(１００％−９０％)に保つようにし、これを中心にして＋１〜−１の幅、すなわち約９％〜約１１％に湿度が増加するのに必要な時間(数秒)を測定し、予め透過度既知の標準サンプルを用いて同じ条件で行ったキャリブレーションの結果と比較することにより透過度を求める方式である。
【図面の簡単な説明】
【００２３】
【図１】本発明に係るコタツ布団カバーを示す実施例。
【図２】コタツ布団カバーの表地の断面拡大図。
【図３】コタツ布団カバーがコタツ本体に掛かっている一部断面図。
【図４】本発明に係るコタツ布団の実施例。
【図５】図３におけるＡ−Ａ断面拡大図。
【符号の説明】
【００２４】
１  中央部
２  スカート部
３  外周縁部
４  網生地
５  コタツ本体
６  表地
７  裏地
８  綿
９  中央部
10  スカート部
11  表面
12  裏面
【図１】
2005080885.tif 000003
【図２】
2005080885.tif 000004
【図３】
2005080885.tif 000005
【図４】
2005080885.tif 000006
【図５】
2005080885.tif 000007